(57)【要約】      （修正有）【課題】恒温室内の空気の換気目的を達成し、且つ、空気調和機が温度制御するエネルギー消耗量を減少させ得る換気装置を提供する。【解決手段】この考案の換気装置は、喚気装置本体１内に互いに熱伝導可能に併設した吸気通路２と排気通路３を設け、前記吸気通路と排気通路の両端はそれぞれ室内と室外に連通し、吸気通路と排気通路の空気吸引口はそれぞれ吸引用ファン２１，３１を設置し、新鮮な空気が室外の吸気通路２の吸引用ファン２１から吸入され、室内の空気が室内の排気通路３の吸引用ファン３１から排出されるようにして、恒温室空気の換気目的を達成し、且つ、吸気通路２と排気通路３の相互の熱伝導作用により、吸気通路の室内に送られる空気温度を恒温室内の温度に接近させる。【選択図】図２
0003135036.tif 000002
【実用新案登録請求の範囲】
【請求項１】
喚気装置本体内に互いに熱伝導可能に併設した吸気通路と排気通路を設け、前記吸気通路と排気通路の両端はそれぞれ室内と室外に連通し、吸気通路と排気通路の空気吸引口はそれぞれ吸引用ファンを設置し、新鮮な空気が室外の吸気通路の吸引用ファンから吸入され、室内の空気が室内の排気通路の吸引用ファンから吸引されて排出されるようにして、恒温室空気の換気目的を達成し、且つ、吸気通路と排気通路の相互の熱伝導作用により、吸気通路の室内に送られる空気温度を恒温室内の温度に接近させるようにしたことを特徴とする換気装置。
【請求項２】
前記吸気通路と前記排気通路は蛇行状の撓曲形状であることを特徴とする請求項１に記載の換気装置。
【請求項３】
前記吸気通路と前記排気通路は多層式の蛇行状の撓曲形状であることを特徴とする請求項２に記載の熱交換機。
【請求項４】
前記吸気通路と前記排気通路は、管路内部を複数対をなすように分割してあることを特徴とする請求項１〜３のいずれか1項に記載の換気装置。
【請求項５】
前記吸気通路と前記排気通路は、位置が相互に交錯する複数の並列形態とし、熱伝導効果を増加するようにしたことを特徴とする請求項１〜３のいずれか1項に記載の換気装置。
【請求項６】
前記吸気通路と前記排気通路の吸引用ファンは、それぞれ多段式スイッチにより制御され、操作時必要に応じて、前記吸引用ファンが異なる正，逆方向への回転を可能とし、且つ空気流通量を制御できるようにしたことを特徴とする請求項１に記載の換気装置。
【請求項７】
前記吸引用ファンの前面にフィルターを設置することを特徴とする請求項６に記載の換気装置。
【請求項８】
前記吸気通路と前記排気通路は併設の管路により構成されることを特徴とする請求項１に記載の換気装置。
【請求項９】
前記吸気通路と前記排気通路は、前記喚気装置体内に熱伝導板により隔てられる通路からなることを特徴とする請求項１に記載の換気装置。
【請求項１０】
前記吸気通路と前記排気通路の吸引用ファンは同側に設置し、前記吸引用ファンの回転方向の制御により同時に吸気通路の吸気と、排気通路の排気を達成することができることを特徴とする請求項１に記載の換気装置。
【請求項１１】
前記喚気装置体内部には、併設状態に配設した吸気通路、排気通路の外部をそれぞれ被覆する断熱材が配設されていることを特徴とする請求項１に記載の換気装置。
【考案の詳細な説明】
【技術分野】
【０００１】
本考案は、換気装置に関するものであって、室内の換気目的を達成し、且つ、室内の空気温度調節用の熱交換機のエネルギー損耗量を減少させ得るようにした換気装置に関するものである。
【背景技術】
【０００２】
四季の寒暖の温度変化は大きく、快適な生活を過ごすために大部分のオフィスや家庭環境においては空気調和機を取り付けて、室内の温度を一定の恒温下に制御し、快適な恒温室を形成するようにしている。
本考案中、恒温室とは、冷暖房器及び電熱器等により、室内温度を変化させて室外との温度差を生成する室内空間を言う。
【０００３】
どんな場所でも、空気調和機を起動させた後すばやく所定の室内温度に制御し、温度を一定に維持するには、外界温度の影響を減少させるよう密閉空間を形成する必要がある。このようにした密閉空間は恒温制御の要求を満たすが、室内の空気が流通せず（流通が遅く）、室内にいる人数が多かったり、タバコを吸う人がいたりして空気の品質に影響する場合には、室内空気が混濁してきて、快適だった恒温室は次第に不快感を与えるようになる。
従来にあっては、窓を少し開いて、室外の新鮮な空気と室内の空気の空気対流を生成して、室内空気の交換速度を速めるようにしているが、その効果には限りがある。室外の新鮮な空気と室内空気を直接対流させた時、室内外の温度差が大きいと、室内の温度が室外の温度の影響を強く受けて室内温度が制御されにくく、空気調和機が温度制御するに要するエネルギー消耗量も増加する。
【考案の開示】
【考案が解決しようとする課題】
【０００４】
本考案は、恒温室内の空気の換気目的を達成し、且つ、空気調和機が温度制御するエネルギー消耗量を減少させ得る換気装置を提供することを目的とする。
【課題を解決するための手段】
【０００５】
本考案の構造は、吸気通路と排気通路の両端が、それぞれ恒温室内と室外に連通し、吸気通路と排気通路の空気吸引口にはそれぞれ吸引用ファンを設置し、新鮮な空気が室外の吸気通路の吸引用ファンから吸入され、室内の混濁空気が室内の排気通路の吸引用ファンによって排出されて、恒温室内の空気交換を行なえるようにした。
この空気交換の過程で、吸気通路と排気通路は並列に接合配設され相互に熱伝導する設計を採用し、故に、吸気通路内の新鮮な空気は排気通路内の空気温度による影響を受け続け、吸気通路内の新鮮な空気が室内出口に接近するにつれて、その温度も室内の恒温設定温度に接近し、恒温室内の温度が影響を受けるのを減少させ、室内の快適性を維持するだけでなく、空気調和機のエネルギー消耗量を減少させる。
【考案の効果】
【０００６】
本考案により、大きな温度変化をもたらすことなく恒温室内の換気目的を達成することができ、且つ、室内温度を冷暖房する空気調和機のエネルギー損耗を減少させることができる。
【考案を実施するための最良の形態】
【０００７】
本考案は、主に、図１で示されるように、喚気装置本体１内に、並列状態に接合配設した熱伝導を可能にした吸気通路２と排気通路３を併設する管路設計であり、熱伝導板により吸気通路２と排気通路３を隔てている。吸気通路２と排気通路３の両端はそれぞれ室内と室外に連通し、吸気通路２と排気通路３の各空気吸引口には、それぞれ吸引用ファン２１，３１が設置されている。
【０００８】
従って、新鮮な空気が室外の吸気通路２を通って吸引用ファン２１から室内側に吸入され（図２，図３）、一方、室内の空気は室内の排気通路３の吸引用ファン３１によって吸引されて排気通路３を通って室外に排出されるようになっており、この構成により、室内の換気目的を達成し、且つ、吸気通路２と排気通路３の相互熱伝導作用により、室外より取り入れた空気の温度が吸気通路２を通っている間に排気通路３内の室内空気により恒温室内温度へ接近させることができ、この恒温室内の温度に接近した新鮮な外気が恒温室内に導入されるようになる。
【０００９】
上述の構造から判るように、吸気通路２と排気通路３は並列して接合して設けられ、相互に熱伝導する設計であるため、喚気装置本体１内において熱交換を実行する過程で、吸気通路２内の新鮮な空気が通路２を進んで室内出口に接近していくにつれて（図４）、その温度が室内の恒温設定温度に近づいて、その状態で室内に送風されるので、これにより空気調和機の稼動時のエネルギー損耗量を減少させ得る。
【００１０】
即ち、恒温室内の空調設備が冷房である時、吸気通路２内の新鮮な空気の温度は降温してから室内に送入され、空調設備が暖房である時には、吸気通路２内の新鮮な空気は排気通路３により加温されて室内に送入されるため、空気調和機の稼動時のエネルギーの損耗量を減少可能とする。
【００１１】
また、本考案の、並列状態に接合配設された相互に熱伝導する吸気通路２と排気通路３は、図５によくみられるように蛇行状の撓曲形状の設計であり、並列管路の熱伝導を行なう経路の長さと時間を増加させることで、吸気通路２を通過する空気を恒温室の温度に近接した空気として送風することができる。
また、上述の蛇行状の撓曲形状による吸気通路２と排気通路３は、図６に示すように、多層式の蛇行状の撓曲形状でもよい。
【００１２】
更に、図７，図８に示すように、吸気通路２と排気通路３となる通路（管路）を、吸気通路２と排気通路３が対をなす通路とした複数分割設計とし、吸気通路２と排気通路３を相互に交錯した並列形態として、熱伝導効果を増加することも可能である。
【００１３】
本考案の吸気通路２と排気通路３の吸引用ファン２１，３１は、それぞれ、多段式スイッチにより制御され、実際の操作時の必要に応じて、吸引用ファン２１，３１を異なる正，逆回転或いは異なる回転速度で回転させ、空気流通量を制御することができる。
また、吸引用ファン２１，３１の前面にはフィルター２２，３２が設けられている。
また、吸気通路２と排気通路３の吸引用ファン２１，３１は同側に設置してもよい。例えば、どちらも恒温室の室内端に設置した場合は、吸引用ファン２１，３１が風や太陽にさらされる状態を減少させることができる。
また、室外に設置する時には、吸引用ファン２１，３１が室内で生成する騒音を減少させる。
【００１４】
前記吸引用ファン２１，３１の回転制御により、吸気通路２が室内空気を吸引し、室外に排気することも、また排気通路３が室外空気を吸引して恒温室内の取り込むこともできる。
即ち、吸引用ファン２１，３１は同一側に設置後、異なる回転制御により、吸引に変化を生じさせ、吸気通路２と排気通路３の吸気と排気の効果を促進する。
【００１５】
本考案の喚気装置本体１内部には、更に、併設状態の吸気通路２、排気通路３外部を被覆する断熱材を設け、併置された吸気通路２、排気通路３が単純な相互熱伝導効果をもたせることで、外部要因による影響を減少させる。
【００１６】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００１７】
【図１】本考案の喚気装置の一実施例を示す要部の断面図である。
【図２】本考案の喚気装置の一実施例を示す空気の流れを示す要部の断面図である。
【図３】本考案の喚気装置の一実施例を示す全体斜視図である。
【図４】本考案の喚気装置を恒温室内に設置した状態を示す外観参考図である。
【図５】本考案の喚気装置における吸気通路及び排気通路の変形例を示す要部断面図である。
【図６】本考案の喚気装置における吸気通路及び排気通路の変形例を示すもので、多層式の吸気通路と排気通路を示す要部の部分断面図である。
【図７】本考案の喚気装置における吸気通路及び排気通路の変形例を示すもので、複数の吸気通路と排気通路を示す要部の部分断面図である。
【図８】本考案の喚気装置における吸気通路及び排気通路の変形例を示すもので、複数の吸気通路と排気通路を示す要部の部分断面図である。
【符号の説明】
【００１８】
１    喚気装置本体
２    吸気通路
２１  吸引用ファン
２２  フィルター
３    排気通路
３１  吸引用ファン
３２  フィルター
【図１】
0003135036.tif 000003
【図２】
0003135036.tif 000004
【図３】
0003135036.tif 000005
【図４】
0003135036.tif 000006
【図５】
0003135036.tif 000007
【図６】
0003135036.tif 000008
【図７】
0003135036.tif 000009
【図８】
0003135036.tif 000010